(57)【要約】      （修正有）【課題】モータにより連動機構を介して軸方向に移動する弁体を有する流量調節弁と、この弁体に押されて軸方向一方（往動方向）に移動する弁座部材を介して押圧開弁される電磁安全弁とを備える電動式ガス弁装置において、ガス量を最小量に絞る際に、弁体に押されて弁座部材が往動方向に移動すると、ガス圧低下で失火することがあるため、これを防止できるようにする。【解決手段】流量調節弁３を、弁体３２の回転でガス流量を調節する回転式弁で構成する。モータ４と一緒に弁体３２を回転させると共に、弁体３２が所定の回転位置を正転方向に越えた第１回転範囲で正逆転するときに弁体３２を往動方向と復動方向に移動させ、弁体３２が所定の回転位置を逆転方向に越えた第２回転範囲で正逆転するときは、弁体３２を復動端位置に保持する。そして、弁体３２の第２回転範囲での回転によりガス流量を調節する。【選択図】図１
2020125887.tif 000002
【特許請求の範囲】
【請求項１】
バーナへのガス供給路に介設される電動式ガス弁装置であって、バルブケーシング内に、電磁安全弁と、流量調節弁と、電動モータにより連動機構を介して軸方向に駆動される可動体と、バルブケーシング内の空間を軸方向一方の一次側ガス室と軸方向他方の二次側ガス室とに仕切る軸方向に移動自在な弁座部材とが設けられ、軸方向一方を往動方向、軸方向他方を復動方向として、電磁安全弁は、弁座部材の往動方向側の端面で構成される安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備え、弁座部材は、バルブケーシング内に設けた弁座バネで復動方向に付勢され、電動モータを正転させて可動体を往動方向に移動させることにより弁座部材を弁座バネの付勢力に抗して往動方向に押動させ、安全弁用弁座を安全弁用弁体に当接させた状態で、安全弁用弁体を電磁石に吸着片が当接する開弁位置まで弁バネの付勢力に抗して押動させ、この状態で電磁石に通電することにより安全弁用弁体を開弁位置に吸着保持し、その後、電動モータを逆転させて可動体を復動方向に移動させることにより、弁座部材を弁座バネの付勢力で可動体に追従して復動方向に移動させ、安全弁用弁座を開弁位置に吸着保持される安全弁用弁体から離隔させて、電磁安全弁を開弁させるものにおいて、
流量調節弁は、弁座部材の復動方向側の端面で構成される調節弁用弁座と、調節弁用弁座に着座する回転自在な調節弁用弁体とを備え、調節弁用弁座に開設した弁座開口と調節弁用弁体に開設した弁体開口との重なり度合いを調節弁用弁体の回転で変化させることによりバーナへの供給ガス流量を調節するように構成され、
連動機構は、電動モータの正逆転に連動して調節弁用弁体を正逆転させる回転機構と、調節弁用弁体を往動方向と復動方向に移動させる運動変換機構とを備え、調節弁用弁体で可動体が構成され、調節弁用弁体の回転範囲のうち所定の回転位置を境にして正転方向側の範囲を第１回転範囲、逆転方向側の範囲を第２回転範囲として、運動変換機構は、調節弁用弁体が第１回転範囲内で正転及び逆転するときに、調節弁用弁体を安全弁用弁体が開弁位置まで押動される所定の往動端位置と所定の回転位置に対応する所定の復動端位置との間の軸方向範囲内で往動方向及び復動方向に移動させ、調節弁用弁体が第２回転範囲内で正転及び逆転するときは、調節弁用弁体を復動端位置から軸方向に移動させないように構成され、復動端位置は、調節弁用弁体に追従する弁座部材の変位で安全弁用弁座が開弁位置に吸着保持される安全弁用弁体から所定距離だけ離れる位置に設定され、調節弁用弁体の第２回転範囲内での回転によりバーナへの供給ガス流量が調節されるようにしたことを特徴とする電動式ガス弁装置。
【請求項２】
運動変換機構は、バルブケーシング内に設けられた、往動方向側の端面に調節弁用弁体と同心の螺旋状に傾斜したカム面を有する固定カムと、調節弁用弁体に設けられた、復動方向側の端面に調節弁用弁体と同心の螺旋状に傾斜したカム面を有する可動カムとを有するカム機構で構成され、調節弁用弁体が第１回転範囲内で回転するときに、固定カムのカム面に可動カムのカム面が当接し、調節弁用弁体が第２回転範囲内で回転するときは、固定カムのカム面から可動カムのカム面が離れることを特徴とする請求項１記載の電動式ガス弁装置。
【請求項３】
回転機構は、電動モータに連結される回転体と調節弁用弁体に連結される回転体との間に介設した回転力を伝達するトーションバネを有することを特徴とする請求項１又は２記載の電動式ガス弁装置。
【発明の詳細な説明】
【技術分野】
【０００１】
本発明は、バーナへのガス供給路に介設される電動式ガス弁装置に関する。
【背景技術】
【０００２】
従来、この種の電動式ガス弁装置として、バルブケーシング内に、電磁安全弁と、流量調節弁と、電動モータにより連動機構を介して軸方向に駆動される可動体と、バルブケーシング内の空間を軸方向一方の一次側ガス室と軸方向他方の二次側ガス室とに仕切る軸方向に移動自在な弁座部材とを設けたものが知られている（例えば、特許文献１参照）。ここで、軸方向一方を往動方向、軸方向他方を復動方向として、電磁安全弁は、弁座部材の往動方向側端面で構成される安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備え、流量調節弁は、弁座部材の復動方向側端面で構成される調節弁用弁座と、可動体と一体に軸方向に移動する、調節弁用弁座に着座可能な調節弁用弁体とを備えている。また、バルブケーシング内に、弁座部材の復動方向への移動を所定の復動端位置で制止する弁座ストッパと、弁座部材を復動方向に付勢する弁座バネとが設けられている。
【０００３】
上記従来例では、電動モータを正転させて可動体を往動方向に移動させることにより、調節弁用弁体を調節弁用弁座に着座させて、弁座部材を復動端位置から往動方向に押動させ、安全弁用弁座を安全弁用弁体に当接させて、安全弁用弁体を電磁石に吸着片が当接する開弁位置まで弁バネの付勢力に抗して押動させ、この状態で電磁石に通電することにより安全弁用弁体を開弁位置に吸着保持する。その後、電動モータを逆転させて可動体を復動方向に移動させることにより、弁座部材を弁座バネの付勢力で可動体に追従して復動方向に移動させ、安全弁用弁座を開弁位置に吸着保持される安全弁用弁体から離隔させて、電磁安全弁を開弁させると共に、弁座部材が復動端位置に到達した後の更なる可動体の復動方向への移動により調節弁用弁体が調節弁用弁座から離れて、バーナへの供給ガス流量が次第に増加するようにしている。
【０００４】
また、流量調節弁は、調節弁用弁座に調節弁用弁体が着座した状態でも一次側ガス室から二次側ガス室にガスを流すバイパス路を有している。ここで、バーナ燃焼中にバーナへの供給ガス流量をバイパス路で規定される最小量に絞るときに、電動モータを、復動端位置に存する弁座部材の調節弁用弁座に調節弁用弁体が着座する回転位置で停止させるようにしたのでは、弁座部材の寸法公差や弁座ストッパの位置公差等により、調節弁用弁座に調節弁用弁体が着座する前に電動モータが停止して、バーナへの供給ガス流量をバイパス路で規定される最小量まで絞れなくなることがある。そこで、従来、バーナ燃焼中にバーナへの供給ガス流量をバイパス路で規定される最小量に絞るときは、電動モータを、復動端位置に存する弁座部材の調節弁用弁座に調節弁用弁体が着座する回転位置である第１の回転位置よりも正転方向に所定角度ずれた第２の回転位置まで正転させるようにしている。
【０００５】
然し、これでは、以下の不具合を生ずる。即ち、電動モータを第２の回転位置まで正転させると、調節弁用弁体が復動端位置に存する弁座部材の調節弁用弁座に着座してから更に往動方向に移動し、弁座部材が調節弁用弁体に押されて往動方向に移動してしまう。そして、この移動により二次側ガス室の容積が拡大して、二次側ガス室内のガス圧が一時的に低下し、バーナへの供給ガス流量が一時的に最小量を下回る量までアンダーシュートし、失火してしまうことがある。
【０００６】
また、上記従来例のものでは、ガス流量を調節するために、復動端位置に存する弁座部材の調節弁用弁座に対し調節弁用弁体を復動方向に所定ストローク移動させる必要がある。即ち、調節弁用弁体のガス流量調節のための軸方向移動ストロークを確保することが必要になり、ガス弁装置の軸方向寸法の小型化が困難になる不具合もある。
【先行技術文献】
【特許文献】
【０００７】
【特許文献１】特開２０１８−１３２５１号公報
【発明の概要】
【発明が解決しようとする課題】
【０００８】
本発明は、以上の点に鑑み、バーナ燃焼中にバーナへの供給ガス流量を最小量まで絞る際の失火を防止できるようにし、且つ、軸方向寸法の小型化も可能な電動式ガス弁装置を提供することをその課題としている。
【課題を解決するための手段】
【０００９】
上記課題を解決するために、本発明は、バーナへのガス供給路に介設される電動式ガス弁装置であって、バルブケーシング内に、電磁安全弁と、流量調節弁と、電動モータにより連動機構を介して軸方向に駆動される可動体と、バルブケーシング内の空間を軸方向一方の一次側ガス室と軸方向他方の二次側ガス室とに仕切る軸方向に移動自在な弁座部材とが設けられ、軸方向一方を往動方向、軸方向他方を復動方向として、電磁安全弁は、弁座部材の往動方向側の端面で構成される安全弁用弁座と、安全弁用弁座に対向する安全弁用弁体と、安全弁用弁体を復動方向に付勢して安全弁用弁座に着座させる弁バネと、安全弁用弁体に往動方向にのびる弁軸を介して連結した吸着片と、吸着片に対向する電磁石とを備え、弁座部材は、バルブケーシング内に設けた弁座バネで復動方向に付勢され、電動モータを正転させて可動体を往動方向に移動させることにより弁座部材を弁座バネの付勢力に抗して往動方向に押動させ、安全弁用弁座を安全弁用弁体に当接させた状態で、安全弁用弁体を電磁石に吸着片が当接する開弁位置まで弁バネの付勢力に抗して押動させ、この状態で電磁石に通電することにより安全弁用弁体を開弁位置に吸着保持し、その後、電動モータを逆転させて可動体を復動方向に移動させることにより、弁座部材を弁座バネの付勢力で可動体に追従して復動方向に移動させ、安全弁用弁座を開弁位置に吸着保持される安全弁用弁体から離隔させて、電磁安全弁を開弁させるものにおいて、流量調節弁は、弁座部材の復動方向側の端面で構成される調節弁用弁座と、調節弁用弁座に着座する回転自在な調節弁用弁体とを備え、調節弁用弁座に開設した弁座開口と調節弁用弁体に開設した弁体開口との重なり度合いを調節弁用弁体の回転で変化させることによりバーナへの供給ガス流量を調節するように構成され、連動機構は、電動モータの正逆転に連動して調節弁用弁体を正逆転させる回転機構と、調節弁用弁体を往動方向と復動方向に移動させる運動変換機構とを備え、調節弁用弁体で可動体が構成され、調節弁用弁体の回転範囲のうち所定の回転位置を境にして正転方向側の範囲を第１回転範囲、逆転方向側の範囲を第２回転範囲として、運動変換機構は、調節弁用弁体が第１回転範囲内で正転及び逆転するときに、調節弁用弁体を安全弁用弁体が開弁位置まで押動される所定の往動端位置と所定の回転位置に対応する所定の復動端位置との間の軸方向範囲内で往動方向及び復動方向に移動させ、調節弁用弁体が第２回転範囲内で正転及び逆転するときは、調節弁用弁体を復動端位置から軸方向に移動させないように構成され、復動端位置は、調節弁用弁体に追従する弁座部材の変位で安全弁用弁座が開弁位置に吸着保持される安全弁用弁体から所定距離だけ離れる位置に設定され、調節弁用弁体の第２回転範囲内での回転によりバーナへの供給ガス流量が調節されるようにしたことを特徴とする。
【００１０】
本発明によれば、調節弁用弁体が復動端位置に存する状態でバーナへの供給ガス流量が調節されることになる。そのため、バーナ燃焼中にバーナへの供給ガス流量を最小量まで絞る際に、弁座部材が調節弁用弁体に押されて往動方向に移動して、二次側ガス室の容積が拡大するようなことはなく、この容積拡大に起因する二次側ガス室内のガス圧低下で失火することを防止できる。また、調節弁用弁体のガス流量調節のための軸方向移動ストロークを確保する必要がなく、ガス弁装置の軸方向寸法の小型化が可能になる。
【００１１】
尚、本発明において、運動変換機構は、バルブケーシング内に設けられた、往動方向側の端面に調節弁用弁体と同心の螺旋状に傾斜したカム面を有する固定カムと、調節弁用弁体に設けられた、復動方向側の端面に調節弁用弁体と同心の螺旋状に傾斜したカム面を有する可動カムとを有するカム機構で構成され、調節弁用弁体が第１回転範囲内で回転するときに、固定カムのカム面に可動カムのカム面が当接し、調節弁用弁体が第２回転範囲内で回転するときは、固定カムのカム面から可動カムのカム面が離れるようにすることが望ましい。これによれば、運動変換機構の組立が容易になり、有利である。
【００１２】
また、回転機構は、電動モータに連結される回転体と調節弁用弁体に連結される回転体との間に介設した回転力を伝達するトーションバネを有することが望ましい。ここで、安全弁用弁体が開弁位置に到達した瞬間、即ち、吸着片が電磁石に当接した瞬間に電動モータを停止することは制御上困難である。そのため、安全弁用弁体が開弁位置に到達した後も電動モータは若干正転して、吸着片と電磁石との当接部に過大な力が加わり、吸着片に傷が付いて吸着不良を生ずることがある。これに対し、回転機構に上記の如くトーションバネを介設すれば、安全弁用弁体が開弁位置に到達した後に電動モータが更に正転しても、吸着片と電磁石との当接部に過大な力が加わることを阻止するクッション作用をトーションバネで得ることができ、吸着片に傷が付いて吸着不良を生ずることを防止できる。更に、回転機構が持つ回転方向のガタをトーションバネの付勢力で除去できる。そのため、電動モータを正転させるときと逆転させるときとで同じ回転位置でもガス流量に差を生ずること、即ち、ヒステリシスの発生を抑制することができる。
【図面の簡単な説明】
【００１３】
【図１】本発明の実施形態の電動式ガス弁装置の切断側面図。
【図２】図１のＩＩ−ＩＩ線で切断した断面図。
【図３】（ａ）図１のＩＩＩ−ＩＩＩ線で切断した断面図、（ｂ）トーションバネのクッション作用が発揮された状態での図３（ａ）に対応する断面図。
【図４】実施形態の電動式ガス弁装置に設けられる連動機構の分解状態の斜視図。
【図５】（ａ）（ｂ）実施形態の電動式ガス弁装置の作動を示す要部の切断側面図。
【図６】実施形態の電動式ガス弁装置における調節弁用弁体の回転位置とガス流量との関係を示すグラフ。
【発明を実施するための形態】
【００１４】
図１を参照して、Ａは、コンロに設けられるバーナＢへのガス供給路Ｇに介設した本発明の実施形態の電動式ガス弁装置である。このガス弁装置Ａは、ガス流入口１ａとバーナＢに連なるガス流出口１ｂとを有するバルブケーシング１を備えている。このバルブケーシング１内には、電磁安全弁２と、流量調節弁３と、ステッピングモータから成る電動モータ４により後述する連動機構を介して軸方向に駆動される後記詳述する調節弁用弁体３２から成る可動体と、バルブケーシング１内の空間をガス流入口１ａに連通する軸方向一方の一次側ガス室１１とガス流出口１ｂに連通する軸方向他方の二次側ガス室１２とに仕切る軸方向に移動自在な弁座部材５とが設けられている。尚、電動モータ４は、バルブケーシング１の軸方向他方の端部に連動機構を囲うようにして取付けられるボックス１３の外端に搭載されている。
【００１５】
軸方向一方を往動方向、軸方向他方を復動方向として、電磁安全弁２は、弁座部材５の往動方向側の端面で構成される安全弁用弁座２１と、安全弁用弁座２１に対向する安全弁用弁体２２と、安全弁用弁体２２を復動方向に付勢して安全弁用弁座２１に着座させる弁バネ２３と、安全弁用弁体２２に往動方向にのびる弁軸２２ａを介して連結した吸着片２４と、吸着片２４に対向する電磁石２５とを備えている。そして、安全弁用弁体２２を吸着片２４が電磁石２５に当接する開弁位置まで弁バネ２３の付勢力に抗して押動させた状態で電磁石２５に通電することにより、安全弁用弁体２２が開弁位置に吸着保持されるようにしている。また、バーナＢに付設する図示省略した火炎検知素子により失火が検知されたときや、消火操作を行ったときは、電磁石２５への通電を停止し、安全弁用弁体２２を弁バネ２３により安全弁用弁座２１に着座する閉弁位置に復帰させて、電磁安全弁２を閉弁する。
【００１６】
弁座部材５は、バルブケーシング１内に設けた弁座バネ５１で復動方向に付勢されている。また、弁座部材５の外側で一次側ガス室１１と二次側ガス室１２との間にガスが流れることを防止するためにベロフラム５２を設けている。
【００１７】
流量調節弁３は、弁座部材５の復動方向側の端面で構成される調節弁用弁座３１と、調節弁用弁座３１に着座する回転自在な調節弁用弁体３２とを備えている。図２を参照して、調節弁用弁座３１には、扇形の弁座開口３１ａが開設され、調節弁用弁体３２には、周方向の間隔を存して複数の弁体開口３２ａが開設されている。そして、弁座開口３１ａと弁体開口３２ａとの重なり度合い、即ち、弁座開口３１ａに重なる弁体開口３２ａの数を調節弁用弁体３２の回転で変化させることによりバーナＢへの供給ガス流量を調節する。具体的には、調節弁用弁体３２を正転（図２で時計方向回転）させると、弁座開口３１ａに重なる弁体開口３２ａの数が減って供給ガス流量が減少し、調節弁用弁体３２を逆転（図２で反時計方向回転）させると、弁座開口３１ａに重なる弁体開口３２ａの数が増して供給ガス流量が増加する。
【００１８】
また、調節弁用弁体３２には、その外周面に周方向の間隔を存して突設した複数の突条３２１を介して復動方向にのびる円筒部３２２が設けられている。この円筒部３２２は、バルブケーシング１内の復動方向側の端部に装着したガイド１４に設けられる円筒部１４１に軸方向に摺動自在に、且つ、回転自在に外挿されている。従って、調節弁用弁体３２は、ガイド１４により軸方向に移動自在に、且つ、回転自在に支持される。尚、ガイド１４は、復動方向側の端部に円筒部１４１が立設された平板部１４２を有している。そして、調節弁用弁体３２は、円筒部３２２の復動方向側の端面が平板部１４２に当接する復動端位置からそれ以上復動方向には移動しない。
【００１９】
連動機構は、電動モータ４の正逆転に連動して調節弁用弁体３２を正逆転させる回転機構６と、調節弁用弁体３２を往動方向と復動方向に移動させる運動変換機構７とを備えている。バーナＢに点火する際は、電動モータ４を正転させて、調節弁用弁体３２を運動変換機構７を介して往動方向に移動させることにより、調節弁用弁体３２を介して弁座部材５を弁座バネ５１の付勢力に抗して往動方向に押動させ、安全弁用弁座２１を安全弁用弁体２２に当接させた状態で、安全弁用弁体２２を電磁石２５に吸着片２４が当接する開弁位置まで弁バネ２３の付勢力に抗して往動方向に移動させる（図５（ａ）に示す状態）。次に、電磁石２５に通電することにより安全弁用弁体２２を開弁位置に吸着保持し、その後、バーナＢに付設した点火電極でのスパークを行いつつ、電動モータ４を逆転させて調節弁用弁体３２を運動変換機構７を介して復動方向に移動させ、弁座部材５を弁座バネ５１の付勢力で調節弁用弁体３２に追従して復動方向に移動させて、安全弁用弁座２１を開弁位置に吸着保持される安全弁用弁体２２から離隔させ、電磁安全弁２を開弁させる（図５（ｂ）に示す状態）。
【００２０】
図３、図４を参照して、回転機構６は、電動モータ４の出力軸４１に連結される第１回転体６１と、調節弁用弁体３２に連結軸６４を介して連結される第２回転体６２と、第１回転体６１と第２回転体６２との間に介設した回転力を伝達するトーションバネ６３とを有している。より具体的に説明すれば、第１回転体６１に第１ピン６１ａを突設して、この第１ピン６１ａにトーションバネ６３の一端のフック部６３ａを係合させている。また、第２回転体６２に、第１回転体６１に形成した周方向の長孔６１ｂに貫通する第２ピン６２ａを突設して、この第２ピン６２ａにトーションバネ６３の他端のフック部６３ｂを係合させている。そして、常時は、図３（ａ）に示す如く、第２ピン６２ａがトーションバネ６３の付勢力で長孔６１ｂの正転方向側の端縁に押し付けられ、第１回転体６１と一緒に第２回転体６２が正転及び逆転する。
【００２１】
ここで、安全弁用弁体２２が開弁位置に到達した瞬間、即ち、吸着片２４が電磁石２５に当接した瞬間に電動モータ４を停止することは制御上困難である。そのため、安全弁用弁体２２が開弁位置に到達した後も電動モータ４は若干正転する。本実施形態の如く、回転機構６にトーションバネ６３を介設すれば、安全弁用弁体２２が開弁位置に到達した後に電動モータ４が更に正転しても、図３（ｂ）に示す如く、トーションバネ６３のクッション作用で第２ピン６２ａ、即ち、第２回転体６２はそれ以上正転しない（図３（ｂ）には、第１回転体６１のみが正転して、長孔６１ｂの正転方向側の端縁が第２ピン６２ａから正転方向に距離Ｌ離れた状態が図示されている）。そのため、吸着片２４と電磁石２５との当接部に過大な力が加わることを阻止することができ、吸着片２４に傷が付いて吸着不良を生ずることを防止できる。更に、回転機構６が持つ回転方向のガタをトーションバネ６３の付勢力で除去できる。そのため、電動モータ４を正転させるときと逆転させるときとで同じ回転位置でもガス流量に差を生ずること、即ち、ヒステリシスの発生を抑制することができる。
【００２２】
運動変換機構７は、バルブケーシング１内に設けられた、往動方向側の端面に調節弁用弁体３２と同心の螺旋状に傾斜したカム面７１ａを有する固定カム７１と、調節弁用弁体３２に設けられた、復動方向側の端面に調節弁用弁体３２と同心の螺旋状に傾斜したカム面７２ａを有する可動カム７２とを有するカム機構で構成されている。尚、固定カム７１は、ガイド１４の円筒部１４１の往動方向側端面から往動方向に突出するように形成され、可動カム７２は、調節弁用弁体３２の復動方向側端面から円筒部３２２の内周面に沿って復動方向に突出するように形成されている。
【００２３】
可動カム７２のカム面７２ａは、調節弁用弁体３２が所定の回転位置ａを超えて正転したときに固定カム７１のカム面７１ａに当接する。可動カム７２のカム面７２ａが固定カム７１のカム面７１ａに当接するまでは、調節弁用弁体３２は復動端位置に存する。そのため、調節弁用弁体３２の回転範囲のうち所定の回転位置ａを境にして正転方向側の範囲を第１回転範囲θ１、逆転方向側の範囲を第２回転範囲θ２として（図６参照）、調節弁用弁体３２が第１回転範囲θ１内で正転及び逆転するときに、固定カム７１のカム面７１ａに可動カム７２のカム面７２ａが当接して、調節弁用弁体３２は、安全弁用弁体２２が開弁位置まで押動される所定の往動端位置と所定の回転位置ａに対応する上記復動端位置との間の軸方向範囲内で往動方向及び復動方向に移動し、調節弁用弁体３２が第２回転範囲θ２内で正転及び逆転するときは、固定カム７１のカム面７１ａから可動カム７２のカム面７２ａが離れて、調節弁用弁体３２は、復動端位置から軸方向に移動しない。尚、復動端位置は、調節弁用弁体３２に追従する弁座部材５の変位で安全弁用弁座２１が開弁位置に吸着保持される安全弁用弁体２２から所定距離（具体的には、ガス流量を律速せず、且つ、安全弁用弁体２２が弁バネ２３の付勢力により移動可能な距離）だけ離れる位置に設定されている。
【００２４】
バーナＢへの供給ガス流量は、図６に示す如く、調節弁用弁体３２の第２回転範囲θ２内での回転により、最小の第１流量Ｑ１から最大の第５流量Ｑ５まで５段階に変化する。そこで、第２回転範囲θ２内での調節弁用弁体３２の回転によりバーナＢへの供給ガス流量を調節するようにしている。これによれば、調節弁用弁体３２が復動端位置に存する状態でバーナＢへの供給ガス流量を調節することができる。そのため、バーナ燃焼中にバーナＢへのガス供給量を第１流量Ｑ１まで絞る際に、従来例の如く弁座部材５が調節弁用弁体３２に押されて往動方向に移動して、二次側ガス室１２の容積が拡大するようなことはなく、この容積拡大に起因する二次側ガス室１２内のガス圧低下で失火することを防止できる。また、調節弁用弁体３２のガス流量調節のための軸方向移動ストロークを確保する必要がなく、ガス弁装置Ａの軸方向寸法の小型化が可能になる。
【００２５】
以上、本発明の実施形態について図面を参照して説明したが、本発明はこれに限定されない。例えば、上記実施形態では、調節弁用弁体３２に複数の弁体開口３２ａを形成して、ガス流量を段階的に調節できるようにしているが、弁体開口を周方向に長手の長孔状に形成し、ガス流量を無段階に調節できるようにしてもよい。また、上記実施形態では、バルブケーシング１内に、これとは別体のガイド１４を設けているが、ガイド１４をバルブケーシング１と一体に形成することも可能である。
【００２６】
更に、運動変換機構７を、ガイド１４と調節弁用弁体３２との一方に設けた螺旋状のカム溝と、他方に設けた、カム溝に係合するピンとで構成することも可能である。但し、これでは、カム溝にピンを係合させる必要があって、組立が面倒になる。これに対し、上記実施形態のものでは、固定カム７１と可動カム７２とを対向配置するだけで済むため、組立が容易になり、有利である。また、上記実施形態では、回転機構６の第２回転体６２をこれとは別体の連結軸６４を介して調節弁用弁体３２に連結しているが、連結軸６４を第２回転体６２と一体化することも可能である。
【符号の説明】
【００２７】
１…バルブケーシング、２…電磁安全弁、２１…安全弁用弁座、２２…安全弁用弁体、２２ａ…弁軸、２３…弁バネ、２４…吸着片、２５…電磁石、３…流量調節弁、３１…調節弁用弁座、３１ａ…弁座開口、３２…調節弁用弁体、３２ａ…弁体開口、４…電動モータ、５…弁座部材、５１…弁座バネ、６…回転機構、６１…第１回転体（電動モータに連結される回転体）、６２…第２回転体（調節弁用弁体に連結される回転体）、６３…トーションバネ、７…運動変換機構、７１…固定カム、７１ａ…カム面、７２…可動カム、７２ａ…カム面、ａ…所定の回転位置、θ１…第１回転範囲、θ２…第２回転範囲。
【図１】
2020125887.tif 000003
【図２】
2020125887.tif 000004
【図３】
2020125887.tif 000005
【図４】
2020125887.tif 000006
【図５】
2020125887.tif 000007
【図６】
2020125887.tif 000008